(57)【要約】【課題】店舗の雰囲気を損なうことなく、管理者に異常を報知することができる表示装置、異常報知プログラム及びこのような表示装置を備えるプリントシステムを提供する。【解決手段】  まず、利用者が操作を完了すると、通常待機状態画面が表示される（ステップＳ３０）とともに、図示せぬカウンターでカウントが開始される。次に、操作入力がないまま設定時間ｔ経過すると（ステップＳ３２）、ＣＰＵ３０によりプリントシステム１０内の各装置の動作状態が検知される（ステップＳ３４）。そして、この動作状態（正常状態、要メンテナンス状態、及び故障状態等）に応じてスクリーンセイバー画面が選択され（ステップＳ３６）、選択されたスクリーンセイバー画面がモニタ１２に表示される（ステップＳ３８）。そして、タッチパネル２２により操作入力が行われるまで（ステップＳ４０）、スクリーンセイバー表示が継続され（ステップＳ３８）、操作入力が行われると（ステップＳ４０）、通常待機状態画面に戻る（ステップＳ３０）。【選択図】      図４
2006011837.tif 000002
【特許請求の範囲】
【請求項１】
画像を表示する表示手段と、
前記利用者が操作入力を行う操作手段と、
操作入力により前記表示手段の表示を制御する表示制御手段と、
装置の異常状態を検知する検知手段と、
正常時に使用される第１のスクリーンセイバー画面又は第１の待機状態画面と、異常時に使用される第２のスクリーンセイバー画面又は第２の待機状態画面とを記憶する記憶手段とを備え、
前記表示制御手段は、前記検知手段によって装置の異常が検知されない場合に前記第１のスクリーンセイバー画面又は第１の待機状態画面を前記表示手段に表示させ、前記検知手段によって装置の異常が検知された場合に前記第２のスクリーンセイバー画面又は第２の待機状態画面を前記表示手段に表示させることを特徴とする表示装置。
【請求項２】
前記装置の異常の態様に応じて、前記第２のスクリーンセイバー画面及び第２の待機状態画面をそれぞれ複数備えることを特徴とする請求項１記載の表示装置。
【請求項３】
前記第２のスクリーンセイバー画面及び第２の待機状態画面は、異常の発生を示す表現を含まないことを特徴とする請求項１又は２記載の表示装置。
【請求項４】
画像を表示する表示手段を備える装置の異常状態を検知する異常検知機能と、
前記異常検知機能によって前記装置の異常が検知されない場合に第１のスクリーンセイバー画面又は第１の待機状態画面を前記表示手段に表示させ、前記異常検知機能によって前記装置の異常が検知された場合に第２のスクリーンセイバー画面又は第２の待機状態画面を前記表示手段に表示させる機能と、
をコンピュータに実現させることを特徴とする異常報知プログラム。
【請求項５】
請求項１から３のいずれか１項記載の表示装置と、
前記利用者の画像を入力する画像入力手段と、
操作入力により前記画像を印刷する印刷手段と、
を備えることを特徴とするプリントシステム。
【発明の詳細な説明】
【技術分野】
【０００１】
本発明は表示装置及びプリントシステムに係り、特にスクリーンセイバー機能を有する表示装置、異常報知プログラム及びこのような表示装置を備えるプリントシステムに関する。
【背景技術】
【０００２】
従来、表示装置は、表示画面（陰極線管（ＣＲＴ）や液晶（ＬＥＤ）等）に長時間同じ画像を表示させておくことによる焼き付きを防止するため、所定の時間操作が行われなかった場合に画面の表示を自動的に消したり不規則に動く画像を表示させたりするスクリーンセイバー機能を備えている。
【０００３】
上記のスクリーンセイバー機能を有する表示装置においては、スクリーンセイバー表示の間には、実行中の作業の進行状況等の表示内容を見ることができない。このため、特許文献１には、外部装置の動作状態を示す情報を表示する表示装置において、スクリーンセイバーの表示中に動作状態を表示する表示装置について開示されている。
【０００４】
ところで、近年、家電量販店等において、利用者がデジタルカメラ等で撮影した写真画像を持ち込んで、セルフサービスでプリントするいわゆる店頭セルフプリント機が普及している。このような店頭セルフプリント機においては、故障等の異常が発生した場合、早急に復旧されることが好ましい。
【特許文献１】特開２０００−６６６４８号公報
【発明の開示】
【発明が解決しようとする課題】
【０００５】
従来の店頭セルフプリント機においては、異常が発生した場合に表示画面上に警告が表示される。しかしながら、この警告表示は画面の表示を損なわない程度の小さなものであったため、店員（管理者）は表示画面を凝視しなければ異常を把握することができなかった。また、スクリーンセイバー表示になると、この警告表示を見ることができなかった。このため、管理者は、利用者に指摘されて初めて装置の異常に気づくことがしばしばであった。
【０００６】
また、上記の特許文献１に開示された表示装置は、スクリーンセイバーに外部装置の状況を常時表示させるものであるが、多くの利用者が目にする画面に動作状況（例えば、「アラーム発生中」等の表示）を常時表示させておくと、店舗の雰囲気を損なうという問題があった。
【０００７】
本発明はこのような事情に鑑みてなされたもので、店舗の雰囲気を損なうことなく、管理者に異常を報知することができる表示装置、異常報知プログラム及びこのような表示装置を備えるプリントシステムを提供することを目的とする。
【課題を解決するための手段】
【０００８】
前記目的を達成するために請求項１に係る表示装置は、画像を表示する表示手段と、前記利用者が操作入力を行う操作手段と、操作入力により前記表示手段の表示を制御する表示制御手段と、装置の異常状態を検知する検知手段と、正常時に使用される第１のスクリーンセイバー画面又は第１の待機状態画面と、異常時に使用される第２のスクリーンセイバー画面又は第２の待機状態画面とを記憶する記憶手段とを備え、前記表示制御手段は、前記検知手段によって装置の異常が検知されない場合に前記第１のスクリーンセイバー画面又は第１の待機状態画面を前記表示手段に表示させ、前記検知手段によって装置の異常が検知された場合に前記第２のスクリーンセイバー画面又は第２の待機状態画面を前記表示手段に表示させることを特徴とする。
【０００９】
請求項１に係る表示装置によれば、装置に異常が生じた場合に、離れたところからでも異常を認識することができるため、異常の早急な復旧を図ることができる。
【００１０】
請求項２に示すように請求項１に係る表示装置において、前記装置の異常の態様に応じて、前記第２のスクリーンセイバー画面及び第２の待機状態画面をそれぞれ複数備えることを特徴とする。
【００１１】
請求項３に示すように請求項１又は２に係る表示装置において、前記第２のスクリーンセイバー画面及び第２の待機状態画面は、異常の発生を示す表現を含まないことを特徴とする。
【００１２】
請求項３に係る表示装置によれば、異常の発生時に表示される第２のスクリーンセイバー画面や第２の待機状態画面が異常の発生を示す文字や記号（例えば、エクスクラメーションマークやバツ印等）を含まないので、店舗等の場所の雰囲気を損なわずに済む。
【００１３】
請求項４に係る異常報知プログラムは、画像を表示する表示手段を備える装置の異常状態を検知する異常検知機能と、前記異常検知機能によって前記装置の異常が検知されない場合に第１のスクリーンセイバー画面又は第１の待機状態画面を前記表示手段に表示させ、前記異常検知機能によって前記装置の異常が検知された場合に第２のスクリーンセイバー画面又は第２の待機状態画面を前記表示手段に表示させる機能とをコンピュータに実現させることを特徴とする。
【００１４】
請求項５に係るプリントシステムは、請求項１から３のいずれか１項記載の表示装置と、前記利用者の画像を入力する画像入力手段と、操作入力により前記画像を印刷する印刷手段とを備えることを特徴とする。
【発明の効果】
【００１５】
本発明によれば、装置に異常が生じた場合に、離れたところからでも異常を認識することができるため、異常の早急な復旧を図ることができる。
【発明を実施するための最良の形態】
【００１６】
以下添付図面に従って本発明に係る表示装置及びプリントシステムの好ましい実施の形態について説明する。図１は、本発明の一実施形態に係るプリントシステムの外観図である。
【００１７】
図１に示すプリントシステム１０の正面には、モニタ１２、画像入力部１４、料金投入口１６、レシート取り出し口１８、及びプリント取り出し口２０が設けられている。
【００１８】
モニタ１２は、例えば、ＣＲＴや液晶ディスプレイ（ＬＥＤ）であり、タッチパネル（図２における符号２２）が設けられている。
【００１９】
画像入力部１４は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応したメディアリーダを含んでいる。また、画像入力部１４は、デジタルカメラやカメラ付き携帯電話等から画像データを直接入力するための、有線通信や無線通信に対応したアダプタ等を含んでいる。
【００２０】
図２は、プリントシステム１０の内部構成を示すブロック図である。図２に示すように、モニタ１２は、表示制御部１２ａを介してメインバスに接続されている。また、タッチパネル２２、レシートプリンタ２４、コインマシン２６、及びプリンタ２８はそれぞれのＩ／Ｆ部２２ａ〜２８ａを介してメインバスに接続されている。
【００２１】
図２に示すＣＰＵ（中央処理装置）３０は、プリントシステム１０を統括制御する制御部である。ＣＰＵ３０は、タッチパネル２２等からの操作入力に基づいてプリントシステム１０内の各装置の動作を制御する。
【００２２】
プログラムメモリ３２は、ＣＰＵ３０が処理するプログラム及び制御に必要な各種データ等が格納されるＲＯＭである。また、ワークメモリ３４は、画像入力部１４から入力された画像データが格納される記憶領域や、ＣＰＵ３０が各種の演算処理等を行う作業用領域となるＳＤＲＡＭ（Synchronous Dynamic RAM）等を含んでいる。
【００２３】
画像処理部３６は、画像入力部１４から入力された画像の処理（例えば、圧縮形式の画像の伸長処理等）を行う。プリントデータ処理部３８は、画像処理部３６で処理された画像をプリント用のデータ形式に変換する。
【００２４】
次に、プリントシステム１０の利用方法について説明する。図３は、プリントシステム１０の利用方法を示すフローチャートである。
【００２５】
まず、スタート時において、モニタ１２には通常待機状態画面（利用者が操作入力を行う前に表示されている「いらっしゃいませ」等の待ち受け画面）、又はスクリーンセイバー画面（焼き付き防止のための画像が不規則に動く画面）が表示されており、利用者がタッチパネル２２を操作すると、利用者が操作入力を行うための通常サービス画面に切り替わる。
【００２６】
次に、利用者は、タッチパネル２２を操作してプリントサイズの選択（ステップＳ１０）と、使用する記録メディアの種類の選択（ステップＳ１２）を行う。そして、利用者が画像入力部１４のメディアリーダに記録メディアを挿入すると（ステップＳ１４）、記録メディアに記録されている画像がモニタ１２に表示される（ステップＳ１６）。
【００２７】
その次に、利用者は、タッチパネル２２を操作してモニタ１２に表示された画像の中からプリントしたい画像を選択し、プリント枚数を設定する（ステップＳ１８）。すると、モニタ１２にプリント代金が表示される。利用者が料金投入口１６からプリント代金を投入すると（ステップＳ２０）、プリンタ２８でプリントが開始される（ステップＳ２２）。そして、プリントが完了すると（ステップＳ２４）、通常待機状態画面に戻る。
【００２８】
次に、スクリーンセイバー画面について説明する。図４は、スクリーンセイバー画面を利用した装置の異常報知方法を示すフローチャートである。
【００２９】
まず、上記のように利用者が操作を完了すると、通常待機状態画面が表示される（ステップＳ３０）とともに、図示せぬカウンターでカウントが開始される。次に、操作入力がないまま設定時間ｔ経過すると（ステップＳ３２）、ＣＰＵ３０によりプリントシステム１０内の各装置の動作状態が検知される（ステップＳ３４）。そして、この動作状態に応じてスクリーンセイバー画面が選択され（ステップＳ３６）、選択されたスクリーンセイバー画面がモニタ１２に表示される（ステップＳ３８）。
【００３０】
ここで、スクリーンセイバー画面の選択方法について説明する。プリントシステム１０の動作状態は、正常状態、要メンテナンス状態、及び故障状態の３種に大別される。正常状態は、プリントシステム１０の各装置が正常に機能している動作状態である。要メンテナンス状態は、レシートプリンタ２４やプリンタ２８のペーパー切れ、又はコインマシン２６の釣り銭切れ等の店員（管理者）がペーパーや釣り銭を補充することで容易に復旧できる動作状態である。また、故障状態は、店員（管理者）では復旧することができず、専門の修理屋に修理を依頼しなければならない動作状態である。
【００３１】
本実施形態では、操作状態に応じてスクリーンセイバー画面のバックの色やデザインを変更する。例えば、正常状態の場合に青、要メンテナンス状態の場合に黄、故障状態の場合に赤にする。また、メロディ演奏を伴うスクリーンセイバーの場合にはメロディを変えてもよい。これにより、店員（管理者）は離れた場所からモニタ１２を見るだけで異常の発生を検知することができ、ペーパーや釣り銭の補充等の復旧作業や修理屋への修理依頼を速やかに行うことができる。一方、お客さん（利用者）には異常の発生を直接報知しないため、店舗の雰囲気を損なうことがない。
【００３２】
なお、本実施形態においては、動作状態は上記の正常状態、要メンテナンス状態、及び故障状態の３種としたが、３種以上に細分化されていてもよい。
【００３３】
図４のフローチャートの説明に戻ると、タッチパネル２２により操作入力が行われるまで（ステップＳ４０）、スクリーンセイバー表示が継続され（ステップＳ３８）、操作入力が行われると（ステップＳ４０）、通常待機状態画面に戻る（ステップＳ３０）。
【００３４】
なお、本実施形態においては、要メンテナンス状態及び故障状態が検知された場合に、スクリーンセイバー画面を起動するまでの設定時間ｔを短くすることが好ましい。例えば、利用者がいない場合等に要メンテナンス状態及び故障状態が検知されると、直ちにスクリーンセイバー画面を起動するようにすれば、店員は復旧作業や修理以来を速やかに行うことができる。
【００３５】
また、本実施形態においては、スクリーンセイバーにより管理者に異常を報知することとしたが、例えば、通常待機状態画面等の他の画面においても、同様の表示を行うこととしてもよい。
【図面の簡単な説明】
【００３６】
【図１】本発明の一実施形態に係るプリントシステムの外観図
【図２】プリントシステム１０の内部構成を示すブロック図
【図３】プリントシステム１０の利用方法を示すフローチャート
【図４】スクリーンセイバー画面を利用した装置の異常報知方法を示すフローチャート
【符号の説明】
【００３７】
１０…プリントシステム、１２…モニタ、１４…画像入力部、１６…料金投入口、１８…レシート取り出し口、２０…プリント取り出し口、２２…タッチパネル、２４…レシートプリンタ、２６…コインマシン、２８…プリンタ、３０…ＣＰＵ（中央処理装置）、３２…プログラムメモリ、３４…ワークメモリ、３６…画像処理部、３８…プリントデータ処理部
【図１】
2006011837.tif 000003
【図２】
2006011837.tif 000004
【図３】
2006011837.tif 000005
【図４】
2006011837.tif 000006